(57)【特許請求の範囲】
【請求項１】
Ｕ字状の振動子と、該振動子のＵ字基部に延設した伝動杆と、該伝動杆の先端部に取り付けられる押当部材から構成される音叉型治療器において、該押当部材の先端の押し当て部分が、多少尖った或いは扁平な丸み、扁平状あるいは凹みの各形状から選択される１の形状を有すると共に、腫れや凝り、頭痛、筋肉痛などの症状のある顔面、頭部、背中、肩、腰、手（腕）、足（脚）の患部に押し当てられるように構成されることを特徴とする音叉型治療器。
【請求項２】
上記伝動杆に握り部を設けたことを特徴とする請求項１に記載の音叉型治療器。
【発明の詳細な説明】
技術分野
本発明は、例えば、リンパ腺の腫れや肩こりなどの症状を改善する音叉型治療器に関する。
背景技術
従来、リンパ腺の腫れや肩こりなどの症状を改善するのに、手揉みや指圧等の療法を人力や器具により行っていた。
しかしながら、上記従来の療法は、手揉みや指圧する人の負担が大きく、多くの患者に長時間に亘ってしかも繰り返して行うことは、到底耐え得るものではなく、また、従来の器具を使用するにしても、効果が弱かったり、器具が高額である等の問題点があった。特に、従来の電気治療器では、体の表面に近い部分にしか効き目がなかった。
本発明は、上記従来の問題点を解決するためになされたもので、その目的とするところは、安価で使い易く、体の表面はもとより奥深く骨の芯にまで広範囲に症状の顕著な治療効果を発揮することができる音叉型治療器を提供することにある。
発明の開示
本発明の音叉型治療器は、Ｕ字状の振動子と、該振動子のＵ字基部に延設した伝動杆と、該伝動杆の先端部に取り付けられた押当部材から構成されることを特徴とする。また、上記伝動杆に握り部を設けたことを特徴とするものである。
発明を実施するための最良の形態
以下、本発明の実施の形態について、図面を参照しながら説明する。
第１図において、１はＵ字状の振動子であって、例えば、鋼鉄、ステンレスなどの鉄又はその合金、アルミニウム、シンチュウ、青銅などの非鉄金属又はそれらの合金から成り、側部を槌打すると一定の周波数で破線のように振動する。上記振動子１のＵ字基部１ａは湾曲している。
上記振動子１のＵ字基部１ａには、伝動杆２が一体的に取り付け又は形成されている。該伝動杆２は、湾曲したＵ字基部１ａの法線（接線に直角な線）方向に配向するのが、振動伝達の観点から好ましい。該伝動杆２も、上記振動子１と同様の金属類から成る。
上記伝動杆２には、その周囲に、握り部３が取り付けられる。該握り部３は、片手で握り易く、しかも、上記伝動杆２の振動をできるだけ減衰させない形状および材質・材料であれば、いずれでも良いが、例えば、ゴムや木質系のものを使用する。
上記伝動杆２の先端部には、押当部材４が一体的に取り付けられ又は形成されている。該押当部材４は、患部に直接または布等を介して間接的に押し当てて、患部に振動を伝える機能を有するものであれば、その材料や材質は、金属、プラスチック、ゴム材、木質系などいずれでもよい。
本実施例の音叉型治療器は、以上のように構成されているので、上記Ｕ字状の振動子１を槌打すると、第１図に波線で示すように、所定の周波数（５０〜２００Ｈｚが好ましい）で横振動する。振動子１が横振動すると、Ｕ字基部１ａは、図示のように、これに直交する方向に縦振動として振動する。このＵ字基部１ａの縦振動の振幅は、振動子１の横振動の振幅に比べて小さいが、その振動衝撃力は力強く、上記伝動杆２を介して、上記押当部材４を矢印方向に強力かつ確実に振動せしめる。
この状態で、第２図に示すように、上記押当部材４を患部に押し当てると、その振動が患部に作用して、うっ滞やうっ血を解消したり、筋肉を解して、改善効果を発揮することができる。
本発明の音叉型治療器による臨床効果例を列挙すると次の通りである。
１）リンパ液の詰まりが「音叉の放つ強い波動」により解消され、むくみが無くなってスッキリとした体形になった。また、リンパ液の正常化により、本来、その人の個人が持っているウイルスや病原菌に対する「免疫力」を回復することができた。
２）筋肉痛の箇所に音叉を当てたら、痛みが無くなった。
３）腰の痛い箇所に音叉を数回当てたら、痛みが取れて姿勢良く歩けるようになった。
４）右耳が重度の難聴の患者に音叉を１０分ほど当てたら、他人の言葉に右耳を向けるようになった。
５）頭部と耳の後に音叉を当てたら、頭痛が取れた。
６）頭部の痛い箇所に音叉を１０分ほど当てたら、頭痛が取れた。
７）親指の付け根の激痛箇所に音叉を１０分ほど当てたら、痛みが取れた。
８）尾骨に音叉を２回当てたら、翌日、便通がよくなった。
９）コンピュータプログラマーが長時間モニターを見ているので視力の低下を訴えたので、目の周りに音叉を数回当てたら、視力が回復した。
１０）白内障・緑内障の人に音叉を１０分ほど当てたら、改善された。
１１）顔の歪み部分に音叉を数回当てたら、歪みが矯正された。
第３図は、上記Ｕ字状の振動子１の別の実施例を示すもので、（Ａ）のように先端部付近の外側に錘材１ｂを付設したり、（Ｂ）のように全体的に膨らませて、長時間強力な振動が得られるように工夫したものである。
第４図は、上記Ｕ字基部１ａの別の実施例を示すもので、（Ａ）に示すように、Ｕ字基部１ａ′を直角状に形成したり、（Ｂ）に示すように、振動子１とＵ字基部１ａの間の静止部を太径部１ｃとしたり、或いは（Ｃ）に示すように、Ｕ字基部１ａ″を全体的に肉厚にして、振動子１の振動が効果的にＵ字基部１ａに移行するように工夫したものである。
第５図は、上記押当部材４の別の実施例を示すもので、（Ａ）に示すように、多少尖った丸みの先端部を有する押当部材４−１として、局部的に集中して治療したり、（Ｂ）に示すように、扁平状の押当部材４−２に形成して、その扁平面積に応じて、例えば、小さいもの（直径１０ｍｍ程度）は顔面用に、また、中位の（直径２５ｍｍ程度）は頭部用に、さらに、大きいもの（直径３０ｍｍ程度）は背中や腰や脚（足）などに使い分けるようにすると、より効果的である。
なお、上記握り部３を省略して、上記伝動杆２を直接握るように構成したり、第６図に示すように、上記押当部材４の中間に環状凹部４ａを形成して、この環状凹部４ａを指先で掴みながら、押当部材４を患部に押し当てるようにしてもよい。第６図（Ａ）は先端の押当て部分が尖った押当部材４−３を示し、（Ｂ）は先端の押当て部分が扁平な丸みを持った押当部材４−４を示し、（Ｃ）は先端の押当て部分が凹んだ押当部材４−５を示し、患部の症状に応じて使い分ける。
第７図は、振動子１と伝動杆２′と押当部材４を、それぞれ別の部材として形成し、上記伝動杆２′の両端部に形成したネジ２ａ、２ｂを、それぞれ振動子１の基部に形成したネジ１ｄや押当部材４に形成したネジ４′に、着脱自在に螺着せしめてもよい。
以上のように、本発明により、安価で使い易く、体の表面はもとより奥深く骨の芯にまで広範囲に症状に顕著な治療効果を発揮することができる音叉型治療器を得ることができる。
【図面の簡単な説明】
第１図は、本発明の音叉型治療器の一実施例を示す説明図である。第２図は、第１図の音叉型治療器の使用説明図である。第３図は、本発明の音叉型治療器の別の実施例を示す説明図である。第４図は、本発明の音叉型治療器のまた別の実施例を示す説明図である。第５図は、本発明の音叉型治療器のさらに別の実施例を示す説明図である。第６図は押当部材の別の実施例を示す説明図である。第７図は振動子と押当部材を伝動杆により接続する構成の説明図である。
【図１】
0004539810.tif 000002
【図２】
0004539810.tif 000003
【図３】
0004539810.tif 000004
【図４】
0004539810.tif 000005
【図５】
0004539810.tif 000006
【図６】
0004539810.tif 000007
【図７】
0004539810.tif 000008